(57)【要約】      （修正有）【課題】ナースコール常時握り者がナースコールを握っている手と顎との操作によって、テレビのチャンネルを自身で容易に切り替えることを可能とするテレビチャンネル切り替え補助装置を提供する【解決手段】棒形態の手に握る握り部２、この握り部２の上部に設けたコール押しボタン４を有する既存のナースコール５に、取り付けた状態とするための取付部６と、この取付部６に設けた、使用者の顎での切替プッシュ操作によりテレビのチャンネルの切り替えを可能としている切替補助押しボタン７と、を備えている。【選択図】図１
2018174956.tif 000002
【特許請求の範囲】
【請求項１】
手に握る握り部とコール押しボタンとを有するナースコールに、取り付けた状態とするための取付部と、
この取付部に設けた、切替プッシュ操作によりテレビのチャンネルの切り替えを可能としている切替補助押しボタンと、
テレビのリモートコントローラに接続する接続手段と、を備えてなるとともに、
切替補助押しボタンのプッシュ操作によって前記テレビのリモートコントローラのテレビのチャンネルの切替を動作させて、テレビのチャンネルの切替を可能としたことを特徴とするテレビチャンネル切り替え補助装置。
【請求項２】
前記接続手段がチャンネル切り替え用補助コードであり、
このチャンネル切り替え用補助コードにコード側接続端子が設けられ、
前記コード側接続端子が、前記テレビのリモートコントローラ側に設けられた、チャンネル切り替えスイッチ部に接続されたコントローラ側接続端子に着脱自在形態で接続可能とされてなることを特徴とする請求項１記載のテレビチャンネル切り替え補助装置。
【請求項３】
コール押しボタンを有するナースコール本体と、
このナースコール本体に設けられた、プッシュ操作によりテレビのチャンネルの切り替えを可能としている切替補助押しボタンと、を備えてなることを特徴とするテレビのチャンネル切り替えボタン付きナースコール。
【請求項４】
手に握る握り部とコール押しボタンを有するナースコール本体と、
このナースコール本体に設けられた、前記握り部を握った状態で使用者の顎でのプッシュ操作によりテレビのチャンネルの切り替えを可能としている切替補助押しボタンと、を備えてなることを特徴とするテレビのチャンネル切り替えボタン付きナースコール。
【請求項５】
数字ボタンを押すことでチャンネルを当該数字のチャンネルにできるチャンネル数字ボタン部と、押しボタンをワンプッシュするごとにチャンネルを順番に送り切り替えてゆくチャンネル順送り切替ボタンとを備えたテレビのリモートコントローラであって、
プッシュ操作でテレビのリモートコントローラのチャンネル切り替え動作を行うことができるテレビチャンネル切り替え補助装置を着脱自在形態で接続するための、チャンネル切り替えスイッチ部に接続されたリモートコントローラ側接続端子を設けてなることを特徴とする接続端子付きテレビのリモートコントローラ。
【請求項６】
リモートコントローラが、テレビに付属されてくるテレビの付属品であることを特徴とする請求項５記載の接続端子付きテレビのリモートコントローラ。
【発明の詳細な説明】
【技術分野】
【０００１】
本発明は、ナースコールと一体にして使用するないし使用することを可能としたテレビチャンネル切り替え補助装置、テレビチャンネル切り替えボタン付きナースコール並びに接続端子付きテレビのリモートコントローラに関する。
【背景技術】
【０００２】
身体が不自由な者のなかには、ナースコールを常時に手に握ったままの状態でいて、かつ、テレビに付属のテレビのコントローラ（以下「テレビリモコン」ともいう。）が操作できない者がいて、ナースコールのプッシュボタン（呼び出しボタン）を顎で押してコールする者（以下「ナースコール常時握り者」ともいう。）がいる。
このナースコール常時握り者の中には、テレビのチャンネルを変える場合には、握り続けているナースコールを顎に当てプッシュしてナースを呼んでテレビのチャンネルの切り替えを要求するということを、頻繁に行う者がいる。
チャンネルの切り替えのための呼び出しが頻繁だとナースに精神的にも業務的にも悪影響を与えるし、他方の身体不自由者側には気まずい気持ちや、遠慮などのストレスが蓄積するという問題があった。
【０００３】
こうした問題を解決する従来技術として特許文献１（図４、段落［００１３］）（符号は特許文献１のもの。）の、円盤状の本体と、この本体の上部に設けられた押しボタンスイッチ１１と、接続コード２０を用いて操作リモコン２１に接続する第１の出力端子ＣＨ１と、接続コード２２を用いてナースコールの接続口に接続する第２の出力端子ＣＨ２とを有し、かつ、テーブル上に置く形態の２出力押しボタンスイッチ１０が開示されている。
２出力押しボタンスイッチ１０の操作は、押しボタンスイッチ１１を短時間の操作で一回毎順次押すと、操作リモコン２１のみ作動してテレビ２３のチャンネルが切り換わり、押しボタンスイッチ１１を所定時間以上押すと、第２の出力端子ＣＨ２がオンとなりナースコールを作動させる、というものが知られている。
【先行技術文献】
【特許文献】
【０００４】
【特許文献１】特開2001-76567号公報（図４、段落［００１３］）
【発明の概要】
【発明が解決しようとする課題】
【０００５】
上述した特許文献１の技術は、テーブルに置いて使用する円盤形態であるため、ナースコール常時握り者が顎に当て操作することは到底できないもの、使用できないものであった。
【０００６】
本発明は以上のような従来技術の欠点に鑑み、ナースコール常時握り者がナースコールによるナース呼び出しをせずに、ナースコールを握っている手と顎との操作によって、テレビのチャンネルを自身で容易に切り替えることを可能とするテレビチャンネル切り替え補助装置、テレビチャンネル切り替えボタン付きナースコール並びに接続端子付きテレビのリモートコントローラを提供することを目的としている。
【課題を解決するための手段】
【０００７】
上記目的を達成するために、本発明は以下のような構成としている。
＜請求項１記載の発明＞
手に握る握り部とコール押しボタンとを有するナースコールに、取り付けた状態とするための取付部と、
この取付部に設けた、切替プッシュ操作によりテレビのチャンネルの切り替えを可能としている切替補助押しボタンと、
テレビのリモートコントローラに接続する接続手段と、を備えてなるとともに、
切替補助押しボタンのプッシュ操作によって前記テレビのリモートコントローラのテレビのチャンネルの切替を動作させて、テレビのチャンネルの切替を可能としたことを特徴とするテレビチャンネル切り替え補助装置である。
＜請求項２記載の発明＞
前記接続手段がチャンネル切り替え用補助コードであり、
このチャンネル切り替え用補助コードにコード側接続端子が設けられ、
前記コード側接続端子が、前記テレビのリモートコントローラ側に設けられた、チャンネル切り替えスイッチ部に接続されたコントローラ側接続端子に着脱自在形態で接続可能とされてなることを特徴とする請求項１記載のテレビチャンネル切り替え補助装置である。
＜請求項３記載の発明＞
コール押しボタンを有するナースコール本体と、
このナースコール本体に設けられた、プッシュ操作によりテレビのチャンネルの切り替えを可能としている切替補助押しボタンと、を備えてなることを特徴とするテレビのチャンネル切り替えボタン付きナースコールである。
＜請求項４記載の発明＞
手に握る握り部とコール押しボタンを有するナースコール本体と、
このナースコール本体に設けられた、前記握り部を握った状態で使用者の顎での切替プッシュ操作によりテレビのチャンネルの切り替えを可能としている切替補助押しボタンと、を備えてなることを特徴とするテレビのチャンネル切り替えボタン付きナースコールである。
＜請求項５記載の発明＞
数字ボタンを押すことでチャンネルを当該数字のチャンネルにできるチャンネル数字ボタン部と、押しボタンをワンプッシュするごとにチャンネルを順番に送り切り替えてゆくチャンネル順送り切替ボタンとを備えたテレビのリモートコントローラであって
プッシュ操作でテレビのリモートコントローラのチャンネル切り替え動作を行うことができるテレビチャンネル切り替え補助装置を着脱自在形態で接続するための、チャンネル切り替えスイッチ部に接続されたリモートコントローラ側接続端子を設けてなることを特徴とする接続端子付きテレビのリモートコントローラである。
＜請求項６記載の発明＞
リモートコントローラが、テレビに付属されてくるテレビの付属品であることを特徴とする請求項５記載の接続端子付きテレビのリモートコントローラである。
【発明の効果】
【０００８】
以上の説明から明らかなように、本発明にあっては次に列挙する効果が得られる。
＜請求項１記載の発明の効果＞
例えば、ナースコール常時握り者が手にナースコールを握ったまま、例えば、切替補助押しボタンを顎に当てのプッシュ（押す）操作で、例えば、テレビのチャンネル切替え補助装置に接続されているテレビのリモートコントローラのチャンネル切替を動作させて、チャンネルを（例えば、順に）替えることが可能とできるとともに、ナースの呼び出しをしたいときは、コール押しボタンを顎でプッシュすることでナースコールによるナースの呼び出しを行うことができる。
これによって、テレビのチャンネルを切り替えるためのナースの呼び出しを無くすことができるとともに、例えば、ナースコール常時握り者自身が誰にも気兼ね・チャンネルを切替てテレビ鑑賞を楽しむことを実現する。
また、既存のテレビの付属のリモートコントローラや、中古のリモートコントローラの、例えば側面に穴をあけ、該穴にコードを通し一押し毎に通電してチャンネルを順に切り替えてゆく、チャンネル切り替えボタンで通電となるスイッチ部位であるチャンネル切り替えスイッチ部に接続して、切替補助押しボタンの一押し操作毎にチャンネル切り替えスイッチ部が通電してチャンネルを順に切り替えてゆくことを可能とするものである。
＜請求項２記載の発明の効果＞
請求項１記載の発明と同様な効果を奏するとともに、例えば、テレビに付属のテレビのリモートコントローラのチャンネル切替動作を、切替補助押しボタンの切替プッシュ操作によりコントロールして、テレビのチャンネルを順に切り替えてゆくことを実現する。
チャンネル切り替え用補助コードで切替補助押しボタン側スイッチ部とチャンネル切り替えスイッチ部とを接続することで、切替補助押しボタンの切替プッシュ操作によりテレビのチャンネルを順に切り替えてゆくコントロールを実現する。
＜請求項３記載の発明の効果＞
ナースコールにテレビのチャンネルの切り替えを可能としている切替補助押しボタンを設けているので、テレビのリモートコントローラを手元に置くことなく、常に手の届くそばにあるナースコールの切替補助押しボタンの押し操作によってテレビのチャンネルの切替を行うことができる。
＜請求項４記載の発明の効果＞
請求項１と同様の効果を奏するナースコールを実現する。
＜請求項５記載の発明の効果＞
チャンネル切り替えスイッチ部に接続されたリモートコントローラ側接続端子を設けた、チャンネル数字ボタン部、１つないし２つの押しボタンをワンプッシュするごとにチャンネルを順番に送り切り替えてゆくチャンネル順送り切替ボタンを備えたテレビのリモートコントローラであるので、請求項３に記載のチャンネル切り替え用補助コードの一方をリモートコントローラ側接続端子に接続し、他方をテレビチャンネル切り替え補助装置に接続することで、請求項１記載のテレビチャンネル切り替え補助装置によるテレビチャンネルの切替操作を行うことを可能とする。
＜請求項６記載の発明の効果＞
請求項５記載の発明の効果と同様な効果を奏するとともに、請求項１記載のテレビチャンネル切り替え補助装置をテレビに付属しているテレビのリモートコントローラに接続して、当該テレビチャンネル切り替え補助装置によってテレビのチャンネルの切替が可能とできる。
【図面の簡単な説明】
【０００９】
【図１】本発明の実施例１を示す斜視図。
【図２】本発明の実施例１の使用状態例を示す斜視図。
【図３】本発明の実施例１の回路を示す概念図。
【図４】本発明の実施例２の側面図。
【図５】本発明の実施例３の回路を示す概念図。
【図６】本発明の実施例４の側面図。
【図７】本発明の実施例５の側面図。
【図８】本発明の実施例６の側面図。
【発明を実施するための形態】
【００１０】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１１】
図１〜図３に示す本発明の実施例において、テレビチャンネル切り替え補助装置１は、次に述べるような構成となっている。
棒形態の手に握る握り部２、この握り部２の上部に設けたコール押しボタン４を有する既存のナースコール５に、取り付けた状態とするための取付部６と、この取付部６に設けた、使用者の顎での切替プッシュ操作によりテレビのチャンネルの切り替えを可能としている切替補助押しボタン７と、を備えてなるものである。
【００１２】
テレビチャンネル切り替え補助装置１のナースコール５に取り付ける側は、ナースコール５の上部が嵌る側部が切り離された切り離し部１６と、コール嵌め部１７と、締め付けて固定する締め付けねじ１８を設けている。
ナースコールコード２３。
【００１３】
切替補助押しボタン７をプッシュ操作したときに、テレビのリモートコントローラ８のチャンネル切り替えスイッチ部９を切り替え動作させるチャンネル切り替え指示部１０を設けている。
【００１４】
チャンネル切り替え指示部１０は、切替補助押しボタン７を押したときに通電状態ないし通信状態とするスイッチからなっていて、チャンネル切り替え指示部１０に接続され、かつ、チャンネル切り替えスイッチ部９に接続された接続手段であるチャンネル切り替え用補助コード１２によって、チャンネル切り替えスイッチ部９をチャンネル切替動作である通電状態（スイッチＯＮ）とする。
【００１５】
チャンネル切り替え用補助コード１２にはコード側接続端子１３、２４が設けられている。
コード側接続端子１３は、テレビのリモートコントローラ８側に設けられた、チャンネル切り替えスイッチ部９に接続されたコントローラ側接続端子１４に着脱自在形態で接続可能とされている。
コード側接続端子２４は、テレビチャンネル切り替え補助装置１側に設けられた、チャンネル切り替え指示部１０に接続された補助装置側接続端子２５に着脱自在形態で接続可能とされている。
【００１６】
図では、コール押しボタン４と切替補助押しボタン７とは、略同じ高さ位置としているが、これに限られるものではなく、高さ位置が異なる形態、切替補助押しボタン７の向きが少し斜め上向き形態、斜め横向き形態ないし横向き形態など多様な形態が考えられる。
図１では、チャンネル切り替え用補助コード１２を握り部２に結束バンド１５で固定している。
【００１７】
テレビのリモートコントローラ８は、テレビに付属されてくるテレビの付属品である、数字ボタンを押すことでチャンネルを当該数字のチャンネルにできるチャンネル数字ボタン部、押しボタンをワンプッシュするごとにチャンネルを順番に送り切り替えてゆくチャンネル順送り切替ボタン２０を備えている。
これは一般的な既成のテレビリのモートコントローラに備わっている機能である。
バッテリー２２。
【実施例２】
【００１８】
図４に示す本発明の実施例２において、テレビのチャンネル切り替えボタン付きナースコール３０は、握り部２とコール押しボタン４を有するナースコール本体３１と、
このナースコール本体３１に設けられた、握り部２を握った状態で使用者の顎でのプッシュ操作によりテレビのチャンネルの切り替えを可能としている切替補助押しボタン７と、を備えている。
切替補助押しボタン７の位置は、横突出部３２に設けられ、コール押しボタン４から少し離れた位置でかつコール押しボタン４より高い位置としている。
【実施例３】
【００１９】
図５に示す本発明の実施例３において、前記実施例１と主に異なる点は、テレビのリモートコントローラ８との通信を、接続手段である無線で行えるようにしたナースコール２９を形成したことである。
補助装置側接続端子２５を信号発信手段３４とし、コントローラ側接続端子を信号受信手段３５としている。電源コード３６。
切替補助押しボタン７は横突出部３２に設けられ、コール押しボタン４から少し離れた位置でかつコール押しボタン４より高い位置としている。
切替補助押しボタン７を押すごとに信号発信手段３４から１チャンネルだけ送るないし戻す信号３６が発信され、信号３６を信号受信手段３５が受信するとコントローラ側接続端子１４がＯＮとなり、チャンネルが１つだけ送られるないし戻されるチャンネルの切替が行われる。
【実施例４】
【００２０】
図６に示す本発明の実施例４において、前記実施例２と主に異なる点は、切替補助押しボタン７をナースコール本体３１の上部側の側部（ここでは、横突出部３２）に略横向きに設けたナースコール３７を形成した点にある。
手に握ったまま、親指が動く者は切替補助押しボタン７を親指で操作し、コール押しボタン４を顎に当て押して操作する、ないしコール押しボタン４も親指で押して操作することができる。
【００２１】
切替補助押しボタン７をナースコール本体３１の上部設け、コール押しボタン４をナースコール本体３１の上部側の側部（ここでは、横突出部３２）に略横向きに設けた形態とするのもよい。
握り部２の断面は楕円形態ないし長方形形態とするのがよい。このような形態とすることにより、例えば、切替補助押しボタン７を常に使用者に向いた握り形態とすることが可能となる。
【実施例５】
【００２２】
図７に示す本発明の実施例５において、前記実施例４と主に異なる点は、切替補助押しボタン７の向きを上向き傾斜形態とし、押面に１ないし複数の突起３８を設けたナースコール３９を形成した点にある。
切替補助押しボタン７の上向き傾斜形態により、該切替補助押しボタン７を顎に当ててプッシュ操作することも可能としている。
また、突起３８によってプッシュしているないしプッシュしようとしているボタンが切替補助押しボタン７であることを、目で確かめることなく皮膚で感じることができる。
【実施例６】
【００２３】
図８に示す本発明の実施例６において、前記実施例５と主に異なる点は、テレビ放送切替ボタン４０を設けてなるナースコール４１を形成した点にある。
切替補助押しボタン４０を押すことにより、ワンプッシュごとに例えば、衛星放送のＢＳ放送、衛星放送のＣＳ放送、地デジ放送とうようにテレビ放送を切り替えることができる。
【００２４】
手に握る握り部と、
この握り部の上部側に設けられた、プッシュ操作によりテレビのチャンネルの切り替えを可能としている切替補助押しボタンと、
前記握り部を握った状態で使用者の顎でのプッシュ操作によりテレビのチャンネルの切り替えを可能としている切替補助押しボタンと、を備えてなることを特徴とするテレビのチャンネル切替補助装置。
【産業上の利用可能性】
【００２５】
本発明は、主にナースコールを使用する産業で利用される。
【符号の説明】
【００２６】
１：テレビチャンネル切り替え補助装置、
２：握り部、
４：コール押しボタン、
５：ナースコール、
６：取付部、
７：切替補助押しボタン、
８：テレビのリモートコントローラ、
９：チャンネル切り替えスイッチ部、
１０：チャンネル切り替え指示部、
１２：チャンネル切り替え用補助コード、
１３：コード側接続端子、
１４：コントローラ側接続端子、
１５：結束バンド、
１６：切り離し部、
１７：コール嵌め部、
１８：締め付けねじ、
２０：チャンネル順送り切替ボタン、
２１：チャンネル切替信号発信部、
２２：バッテリー、
２３：ナースコールコード、
２４：コード側接続端子、
２５：補助装置側接続端子、
２９：ナースコール、
３０：ナースコール、
３１：ナースコール本体、
３２：横突出部、
３３：ナースコール、
３４：信号発信手段、
３５：信号受信手段、
３６：信号、
３７：ナースコール、
３８：突起、
３９：ナースコール、
４０：切替補助押しボタン、
４１：ナースコール。
【図１】
2018174956.tif 000003
【図２】
2018174956.tif 000004
【図３】
2018174956.tif 000005
【図４】
2018174956.tif 000006
【図５】
2018174956.tif 000007
【図６】
2018174956.tif 000008
【図７】
2018174956.tif 000009
【図８】
2018174956.tif 000010
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
プッシュボタン類が一切無い形態の手に握る握り部（２）と、コ−ル押しボタン（４）とを有する既存のナ−スコ−ルに、取り付けた状態とするための前記既存のナ−スコ−ルとは別体である取付部（６）と、
この取付部（６）に設けた、切替プッシュ操作によりテレビのチャンネルの切り替えを可能としている、前記既存のナ−スコ−ルに前記取付部（６）を取り付けた状態で前記握り部（２）よりも上部側に位置される切替補助押しボタン（７）と、
テレビのリモ−トコントロ−ラ（８）に接続する接続手段と、を備えてなるとともに、
前記既存のナ−スコ−ルに前記取付部（６）を取り付けた状態で、前記切替補助押しボタン（７）のプッシュ操作によって前記テレビのリモ−トコントロ−ラのテレビのチャンネルの切替を動作させて、テレビのチャンネルの切替を可能としたことを特徴とするテレビチャンネル切り替え補助装置。
【請求項２】
プッシュボタン類が一切無い形態の手に握る握り部とコ−ル押しボタンを有するナ−スコ−ル本体と、
このナ−スコ−ル本体に設けられた、前記握り部を握った状態で使用者の顎でのプッシュ操作によりテレビのチャンネルの切り替えを可能としている切替補助押しボタン（７）と、を備え、
前記切替補助押しボタンは前記コ−ル押しボタン（４）とは別ボタンであり、
前記コ−ル押しボタン（４）と前記切替補助押しボタン（７）は、前記握り部（２）よりも上部側に位置する形態であることを特徴とするテレビのチャンネル切り替えボタン付きナ−スコ−ル。
【手続補正２】
【補正対象書類名】明細書
【補正対象項目名】全文
【補正方法】変更
【補正の内容】
【発明の詳細な説明】
【技術分野】
【０００１】
本発明は、ナースコールと一体にして使用するないし使用することを可能としたテレビチャンネル切り替え補助装置、テレビチャンネル切り替えボタン付きナースコール並びに接続端子付きテレビのリモートコントローラに関する。
【背景技術】
【０００２】
身体が不自由な者のなかには、ナースコールを常時に手に握ったままの状態でいて、かつ、テレビに付属のテレビのコントローラ（以下「テレビリモコン」ともいう。）が操作できない者がいて、ナースコールのプッシュボタン（呼び出しボタン）を顎で押してコールする者（以下「ナースコール常時握り者」ともいう。）がいる。
このナースコール常時握り者の中には、テレビのチャンネルを変える場合には、握り続けているナースコールを顎に当てプッシュしてナースを呼んでテレビのチャンネルの切り替えを要求するということを、頻繁に行う者がいる。
チャンネルの切り替えのための呼び出しが頻繁だとナースに精神的にも業務的にも悪影響を与えるし、他方の身体不自由者側には気まずい気持ちや、遠慮などのストレスが蓄積するという問題があった。
【０００３】
こうした問題を解決する従来技術として特許文献１（図４、段落［００１３］）（符号は特許文献１のもの。）の、円盤状の本体と、この本体の上部に設けられた押しボタンスイッチ１１と、接続コード２０を用いて操作リモコン２１に接続する第１の出力端子ＣＨ１と、接続コード２２を用いてナースコールの接続口に接続する第２の出力端子ＣＨ２とを有し、かつ、テーブル上に置く形態の２出力押しボタンスイッチ１０が開示されている。
２出力押しボタンスイッチ１０の操作は、押しボタンスイッチ１１を短時間の操作で一回毎順次押すと、操作リモコン２１のみ作動してテレビ２３のチャンネルが切り換わり、押しボタンスイッチ１１を所定時間以上押すと、第２の出力端子ＣＨ２がオンとなりナースコールを作動させる、というものが知られている。
【先行技術文献】
【特許文献】
【０００４】
【特許文献１】特開2001-76567号公報（図４、段落［００１３］）
【発明の概要】
【発明が解決しようとする課題】
【０００５】
上述した特許文献１の技術は、テーブルに置いて使用する円盤形態であるため、ナースコール常時握り者が顎に当て操作することは到底できないもの、使用できないものであった。
【０００６】
本発明は以上のような従来技術の欠点に鑑み、ナースコール常時握り者がナースコールによるナース呼び出しをせずに、ナースコールを握っている手と顎との操作によって、テレビのチャンネルを自身で容易に切り替えることを可能とするテレビチャンネル切り替え補助装置、テレビチャンネル切り替えボタン付きナースコール並びに接続端子付きテレビのリモートコントローラを提供することを目的としている。
【課題を解決するための手段】
【０００７】
上記目的を達成するために、本発明は以下のような構成としている。
＜請求項１記載の発明＞
プッシュボタン類が一切無い形態の手に握る握り部（２）と、コ−ル押しボタン（４）とを有する既存のナ−スコ−ルに、取り付けた状態とするための前記既存のナ−スコ−ルとは別体である取付部（６）と、
この取付部（６）に設けた、切替プッシュ操作によりテレビのチャンネルの切り替えを可能としている、前記既存のナ−スコ−ルに前記取付部（６）を取り付けた状態で前記握り部（２）よりも上部側に位置される切替補助押しボタン（７）と、
テレビのリモ−トコントロ−ラ（８）に接続する接続手段と、を備えてなるとともに、
前記既存のナ−スコ−ルに前記取付部（６）を取り付けた状態で、前記切替補助押しボタン（７）のプッシュ操作によって前記テレビのリモ−トコントロ−ラのテレビのチャンネルの切替を動作させて、テレビのチャンネルの切替を可能としたことを特徴とするテレビチャンネル切り替え補助装置である。
＜請求項２記載の発明＞
プッシュボタン類が一切無い形態の手に握る握り部とコ−ル押しボタンを有するナ−スコ−ル本体と、
このナ−スコ−ル本体に設けられた、前記握り部を握った状態で使用者の顎でのプッシュ操作によりテレビのチャンネルの切り替えを可能としている切替補助押しボタン（７）と、を備え、
前記切替補助押しボタンは前記コ−ル押しボタン（４）とは別ボタンであり、
前記コ−ル押しボタン（４）と前記切替補助押しボタン（７）は、前記握り部（２）よりも上部側に位置する形態であることを特徴とするテレビのチャンネル切り替えボタン付きナ−スコ−ルである。
【発明の効果】
【０００８】
以上の説明から明らかなように、本発明にあっては次に列挙する効果が得られる。
＜請求項１記載の発明の効果＞
例えば、ナースコール常時握り者が手にナースコールを握ったまま、例えば、切替補助押しボタンを顎に当てのプッシュ（押す）操作で、例えば、テレビのチャンネル切替え補助装置に接続されているテレビのリモートコントローラのチャンネル切替を動作させて、チャンネルを（例えば、順に）替えることが可能とできるとともに、ナースの呼び出しをしたいときは、コール押しボタンを顎でプッシュすることでナースコールによるナースの呼び出しを行うことができる。
これによって、テレビのチャンネルを切り替えるためのナースの呼び出しを無くすことができるとともに、例えば、ナースコール常時握り者自身が誰にも気兼ね・チャンネルを切替てテレビ鑑賞を楽しむことを実現する。
また、既存のテレビの付属のリモートコントローラや、中古のリモートコントローラの、例えば側面に穴をあけ、該穴にコードを通し一押し毎に通電してチャンネルを順に切り替えてゆく、チャンネル切り替えボタンで通電となるスイッチ部位であるチャンネル切り替えスイッチ部に接続して、切替補助押しボタンの一押し操作毎にチャンネル切り替えスイッチ部が通電してチャンネルを順に切り替えてゆくことを可能とするものである。
＜請求項２記載の発明の効果＞
ナースコールにテレビのチャンネルの切り替えを可能としている切替補助押しボタンを設けているので、テレビのリモートコントローラを手元に置くことなく、常に手の届くそばにあるナースコールの切替補助押しボタンの押し操作によってテレビのチャンネルの切替を行うことができる。
【図面の簡単な説明】
【０００９】
【図１】本発明の実施例１を示す斜視図。
【図２】本発明の実施例１の使用状態例を示す斜視図。
【図３】本発明の実施例１の回路を示す概念図。
【図４】本発明の実施例２の側面図。
【図５】本発明の実施例３の回路を示す概念図。
【図６】本発明の実施例４の側面図。
【図７】本発明の実施例５の側面図。
【図８】本発明の実施例６の側面図。
【発明を実施するための形態】
【００１０】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１１】
図１〜図３に示す本発明の実施例において、テレビチャンネル切り替え補助装置１は、次に述べるような構成となっている。
棒形態の手に握る握り部２、この握り部２の上部に設けたコール押しボタン４を有する既存のナースコール５に、取り付けた状態とするための取付部６と、この取付部６に設けた、使用者の顎での切替プッシュ操作によりテレビのチャンネルの切り替えを可能としている切替補助押しボタン７と、を備えてなるものである。
【００１２】
テレビチャンネル切り替え補助装置１のナースコール５に取り付ける側は、ナースコール５の上部が嵌る側部が切り離された切り離し部１６と、コール嵌め部１７と、締め付けて固定する締め付けねじ１８を設けている。
ナースコールコード２３。
【００１３】
切替補助押しボタン７をプッシュ操作したときに、テレビのリモートコントローラ８のチャンネル切り替えスイッチ部９を切り替え動作させるチャンネル切り替え指示部１０を設けている。
【００１４】
チャンネル切り替え指示部１０は、切替補助押しボタン７を押したときに通電状態ないし通信状態とするスイッチからなっていて、チャンネル切り替え指示部１０に接続され、かつ、チャンネル切り替えスイッチ部９に接続された接続手段であるチャンネル切り替え用補助コード１２によって、チャンネル切り替えスイッチ部９をチャンネル切替動作である通電状態（スイッチＯＮ）とする。
【００１５】
チャンネル切り替え用補助コード１２にはコード側接続端子１３、２４が設けられている。
コード側接続端子１３は、テレビのリモートコントローラ８側に設けられた、チャンネル切り替えスイッチ部９に接続されたコントローラ側接続端子１４に着脱自在形態で接続可能とされている。
コード側接続端子２４は、テレビチャンネル切り替え補助装置１側に設けられた、チャンネル切り替え指示部１０に接続された補助装置側接続端子２５に着脱自在形態で接続可能とされている。
【００１６】
図では、コール押しボタン４と切替補助押しボタン７とは、略同じ高さ位置としているが、これに限られるものではなく、高さ位置が異なる形態、切替補助押しボタン７の向きが少し斜め上向き形態、斜め横向き形態ないし横向き形態など多様な形態が考えられる。
図１では、チャンネル切り替え用補助コード１２を握り部２に結束バンド１５で固定している。
【００１７】
テレビのリモートコントローラ８は、テレビに付属されてくるテレビの付属品である、数字ボタンを押すことでチャンネルを当該数字のチャンネルにできるチャンネル数字ボタン部、押しボタンをワンプッシュするごとにチャンネルを順番に送り切り替えてゆくチャンネル順送り切替ボタン２０を備えている。
これは一般的な既成のテレビリのモートコントローラに備わっている機能である。
バッテリー２２。
【実施例２】
【００１８】
図４に示す本発明の実施例２において、テレビのチャンネル切り替えボタン付きナースコール３０は、握り部２とコール押しボタン４を有するナースコール本体３１と、
このナースコール本体３１に設けられた、握り部２を握った状態で使用者の顎でのプッシュ操作によりテレビのチャンネルの切り替えを可能としている切替補助押しボタン７と、を備えている。
切替補助押しボタン７の位置は、横突出部３２に設けられ、コール押しボタン４から少し離れた位置でかつコール押しボタン４より高い位置としている。
【実施例３】
【００１９】
図５に示す本発明の実施例３において、前記実施例１と主に異なる点は、テレビのリモートコントローラ８との通信を、接続手段である無線で行えるようにしたナースコール２９を形成したことである。
補助装置側接続端子２５を信号発信手段３４とし、コントローラ側接続端子を信号受信手段３５としている。電源コード３６。
切替補助押しボタン７は横突出部３２に設けられ、コール押しボタン４から少し離れた位置でかつコール押しボタン４より高い位置としている。
切替補助押しボタン７を押すごとに信号発信手段３４から１チャンネルだけ送るないし戻す信号３６が発信され、信号３６を信号受信手段３５が受信するとコントローラ側接続端子１４がＯＮとなり、チャンネルが１つだけ送られるないし戻されるチャンネルの切替が行われる。
【実施例４】
【００２０】
図６に示す本発明の実施例４において、前記実施例２と主に異なる点は、切替補助押しボタン７をナースコール本体３１の上部側の側部（ここでは、横突出部３２）に略横向きに設けたナースコール３７を形成した点にある。
手に握ったまま、親指が動く者は切替補助押しボタン７を親指で操作し、コール押しボタン４を顎に当て押して操作する、ないしコール押しボタン４も親指で押して操作することができる。
【００２１】
切替補助押しボタン７をナースコール本体３１の上部設け、コール押しボタン４をナースコール本体３１の上部側の側部（ここでは、横突出部３２）に略横向きに設けた形態とするのもよい。
握り部２の断面は楕円形態ないし長方形形態とするのがよい。このような形態とすることにより、例えば、切替補助押しボタン７を常に使用者に向いた握り形態とすることが可能となる。
【実施例５】
【００２２】
図７に示す本発明の実施例５において、前記実施例４と主に異なる点は、切替補助押しボタン７の向きを上向き傾斜形態とし、押面に１ないし複数の突起３８を設けたナースコール３９を形成した点にある。
切替補助押しボタン７の上向き傾斜形態により、該切替補助押しボタン７を顎に当ててプッシュ操作することも可能としている。
また、突起３８によってプッシュしているないしプッシュしようとしているボタンが切替補助押しボタン７であることを、目で確かめることなく皮膚で感じることができる。
【実施例６】
【００２３】
図８に示す本発明の実施例６において、前記実施例５と主に異なる点は、テレビ放送切替ボタン４０を設けてなるナースコール４１を形成した点にある。
切替補助押しボタン４０を押すことにより、ワンプッシュごとに例えば、衛星放送のＢＳ放送、衛星放送のＣＳ放送、地デジ放送とうようにテレビ放送を切り替えることができる。
【００２４】
手に握る握り部と、
この握り部の上部側に設けられた、プッシュ操作によりテレビのチャンネルの切り替えを可能としている切替補助押しボタンと、
前記握り部を握った状態で使用者の顎でのプッシュ操作によりテレビのチャンネルの切り替えを可能としている切替補助押しボタンと、を備えてなることを特徴とするテレビのチャンネル切替補助装置。
【００２５】
＜付記１記載の発明＞
手に握る握り部とコール押しボタンとを有するナースコールに、取り付けた状態とするための取付部と、
この取付部に設けた、切替プッシュ操作によりテレビのチャンネルの切り替えを可能としている切替補助押しボタンと、
テレビのリモートコントローラに接続する接続手段と、を備えてなるとともに、
切替補助押しボタンのプッシュ操作によって前記テレビのリモートコントローラのテレビのチャンネルの切替を動作させて、テレビのチャンネルの切替を可能としたことを特徴とするテレビチャンネル切り替え補助装置である。
＜付記１記載の発明の効果＞
例えば、ナースコール常時握り者が手にナースコールを握ったまま、例えば、切替補助押しボタンを顎に当てのプッシュ（押す）操作で、例えば、テレビのチャンネル切替え補助装置に接続されているテレビのリモートコントローラのチャンネル切替を動作させて、チャンネルを（例えば、順に）替えることが可能とできるとともに、ナースの呼び出しをしたいときは、コール押しボタンを顎でプッシュすることでナースコールによるナースの呼び出しを行うことができる。
これによって、テレビのチャンネルを切り替えるためのナースの呼び出しを無くすことができるとともに、例えば、ナースコール常時握り者自身が誰にも気兼ね・チャンネルを切替てテレビ鑑賞を楽しむことを実現する。
また、既存のテレビの付属のリモートコントローラや、中古のリモートコントローラの、例えば側面に穴をあけ、該穴にコードを通し一押し毎に通電してチャンネルを順に切り替えてゆく、チャンネル切り替えボタンで通電となるスイッチ部位であるチャンネル切り替えスイッチ部に接続して、切替補助押しボタンの一押し操作毎にチャンネル切り替えスイッチ部が通電してチャンネルを順に切り替えてゆくことを可能とするものである。
＜付記２記載の発明＞
前記接続手段がチャンネル切り替え用補助コードであり、
このチャンネル切り替え用補助コードにコード側接続端子が設けられ、
前記コード側接続端子が、前記テレビのリモートコントローラ側に設けられた、チャンネル切り替えスイッチ部に接続されたコントローラ側接続端子に着脱自在形態で接続可能とされてなることを特徴とする付記１記載のテレビチャンネル切り替え補助装置である。
＜付記２記載の発明の効果＞
付記１記載の発明と同様な効果を奏するとともに、例えば、テレビに付属のテレビのリモートコントローラのチャンネル切替動作を、切替補助押しボタンの切替プッシュ操作によりコントロールして、テレビのチャンネルを順に切り替えてゆくことを実現する。
チャンネル切り替え用補助コードで切替補助押しボタン側スイッチ部とチャンネル切り替えスイッチ部とを接続することで、切替補助押しボタンの切替プッシュ操作によりテレビのチャンネルを順に切り替えてゆくコントロールを実現する。
＜付記３記載の発明＞
コール押しボタンを有するナースコール本体と、
このナースコール本体に設けられた、プッシュ操作によりテレビのチャンネルの切り替えを可能としている切替補助押しボタンと、を備えてなることを特徴とするテレビのチャンネル切り替えボタン付きナースコールである。
＜付記３記載の発明の効果＞
ナースコールにテレビのチャンネルの切り替えを可能としている切替補助押しボタンを設けているので、テレビのリモートコントローラを手元に置くことなく、常に手の届くそばにあるナースコールの切替補助押しボタンの押し操作によってテレビのチャンネルの切替を行うことができる。
＜付記４記載の発明＞
手に握る握り部とコール押しボタンを有するナースコール本体と、
このナースコール本体に設けられた、前記握り部を握った状態で使用者の顎での切替プッシュ操作によりテレビのチャンネルの切り替えを可能としている切替補助押しボタンと、を備えてなることを特徴とするテレビのチャンネル切り替えボタン付きナースコールである。
＜付記４記載の発明の効果＞
付記１と同様の効果を奏するナースコールを実現する。
＜付記５記載の発明＞
数字ボタンを押すことでチャンネルを当該数字のチャンネルにできるチャンネル数字ボタン部と、押しボタンをワンプッシュするごとにチャンネルを順番に送り切り替えてゆくチャンネル順送り切替ボタンとを備えたテレビのリモートコントローラであって
プッシュ操作でテレビのリモートコントローラのチャンネル切り替え動作を行うことができるテレビチャンネル切り替え補助装置を着脱自在形態で接続するための、チャンネル切り替えスイッチ部に接続されたリモートコントローラ側接続端子を設けてなることを特徴とする接続端子付きテレビのリモートコントローラである。
＜付記５記載の発明の効果＞
チャンネル切り替えスイッチ部に接続されたリモートコントローラ側接続端子を設けた、チャンネル数字ボタン部、１つないし２つの押しボタンをワンプッシュするごとにチャンネルを順番に送り切り替えてゆくチャンネル順送り切替ボタンを備えたテレビのリモートコントローラであるので、付記３に記載のチャンネル切り替え用補助コードの一方をリモートコントローラ側接続端子に接続し、他方をテレビチャンネル切り替え補助装置に接続することで、付記１記載のテレビチャンネル切り替え補助装置によるテレビチャンネルの切替操作を行うことを可能とする。
＜付記６記載の発明＞
リモートコントローラが、テレビに付属されてくるテレビの付属品であることを特徴とする付記５記載の接続端子付きテレビのリモートコントローラである。
＜付記６記載の発明の効果＞
付記５記載の発明の効果と同様な効果を奏するとともに、付記１記載のテレビチャンネル切り替え補助装置をテレビに付属しているテレビのリモートコントローラに接続して、当該テレビチャンネル切り替え補助装置によってテレビのチャンネルの切替が可能とできる。
【産業上の利用可能性】
【００２６】
本発明は、主にナースコールを使用する産業で利用される。
【符号の説明】
【００２７】
１：テレビチャンネル切り替え補助装置、
２：握り部、
４：コール押しボタン、
５：ナースコール、
６：取付部、
７：切替補助押しボタン、
８：テレビのリモートコントローラ、
９：チャンネル切り替えスイッチ部、
１０：チャンネル切り替え指示部、
１２：チャンネル切り替え用補助コード、
１３：コード側接続端子、
１４：コントローラ側接続端子、
１５：結束バンド、
１６：切り離し部、
１７：コール嵌め部、
１８：締め付けねじ、
２０：チャンネル順送り切替ボタン、
２１：チャンネル切替信号発信部、
２２：バッテリー、
２３：ナースコールコード、
２４：コード側接続端子、
２５：補助装置側接続端子、
２９：ナースコール、
３０：ナースコール、
３１：ナースコール本体、
３２：横突出部、
３３：ナースコール、
３４：信号発信手段、
３５：信号受信手段、
３６：信号、
３７：ナースコール、
３８：突起、
３９：ナースコール、
４０：切替補助押しボタン、
４１：ナースコール。